(57)【要約】      （修正有）【課題】夜間であっても容易に方角が認識可能な、鉢植え植物の方角表示体を提供する。【解決手段】鉢植え植物２０Ａ〜２０Ｄの敷物１０と、鉢植え植物の容器６ａ〜６ｄ又は包装紙に固定される、ラベル、印刷物、蛍光塗料による図柄あるいは標識が記載された表示体５Ａ〜５Ｄと、からなり、これら表示体を予め、方角と関連付けておくことにより、夜間において方角が認識可能な識別標識としたことを特徴とする。敷物は、薄いシート体と、シート体の中心部に設けられた方角表示用磁石２とから成り、前記薄いシート体は、その表面に方角表示用磁石を中心として、方角を示す四神獣の図柄３ａ〜３ｄが四方に配置されている方角表示用のマットである。【選択図】図２
0003190193.tif 000002
【実用新案登録請求の範囲】
【請求項１】
鉢植え植物の敷物、鉢植え植物の容器又は包装紙等に固定されるラベル、印刷物や、蛍光塗料による図柄、標識等の表示体であって、夜間において方角が認識可能な識別標識であることを特徴とする鉢植え植物等の方角表示体。
【請求項２】
請求項１記載の鉢植え植物等の方角表示体において、
前記敷物は、薄いシート体と、該シート体の中心部に設けられた方角表示用磁石とから成り、
前記薄いシート体は、その表面に方角表示用磁石を中心として、方角を示す四神獣の図柄が四方に配置されている方角表示用のマットであることを特徴とする鉢植え植物等の方角表示体。
【請求項３】
請求項１又は請求項２記載の鉢植え植物等の方角表示体において、
前記識別標識は、四神獣の各構成獣の図柄を蛍光塗料で描いたものであることを特徴とする鉢植え植物等の方角表示体。
【請求項４】
鉢植え植物の植物自体、その容器又はその包装紙を、夜間において視覚、触覚又は嗅覚のいずれかで、方角が認識可能な植物、その容器又はその包装紙で構成して鉢植え植物等の方角表示体とし、該鉢植え植物等の方角表示体を、シート体と、該シート体の中心部に設けられた方角表示用磁石とから成り、前記シート体の表面に方角表示用磁石を中心として方角を示す四神獣の図柄を四方に配置した鉢植え植物の敷物の上であって、前記四神獣の方角に対応する位置に固定したものであることを特徴とする鉢植え植物等の方角表示体。
【考案の詳細な説明】
【技術分野】
【０００１】
本考案は、例えば鉢植え植物、その包装紙、その包装容器等に、これら鉢植え植物等が置かれている方角を示すための例えばラベル、キャラクター等から成る方角表示体を付した鉢植え植物等の方角表示体に関する。
【背景技術】
【０００２】
近年、東南海地震の発生に備えての防災意識が高まるとともに、耐震構造設備への取り組みが盛んになっている。仮に地震が夜間に発生すると、必ずといって良いほど停電が発生し、暗闇の中では自宅であっても方角が分からなくなり、自宅外ではなおさら方角が分からなくなる。そのため、パニックが生じる可能性が大であり、安全な場所に非難するにしても非常に時間がかかることになる。
【０００３】
そこで、本考案は、上記災害に対処すべく、鉢植え植物等に、夜間においても方角が認識可能な方角表示体を付すことにより、対処せんとするものである。
【０００４】
なお、鉢植え植物を用いた表示体に関する先行技術文献としては、特許文献１や特許文献２等が存在するが、上記地震等に対する防災面から工夫したものは今のところ見当たらない。
【先行技術文献】
【特許文献】
【０００５】
【特許文献１】特開２００５−２０４６７２号広報（請求項１、図７）
【特許文献２】特開２００８−２７１９０４号広報（請求項１、図１）
【考案の概要】
【考案が解決しようとする課題】
【０００６】
本考案は、上記従来技術に鑑みてなされたもので、夜間であっても容易に方角が認識可能な、鉢植え植物等の方角表示体を提供せんとするものである。
【課題を解決するための手段】
【０００７】
上記課題を解決するため、本考案に係る鉢植え植物等の方角表示体は、例えば鉢植え植物の敷物、鉢植え植物の容器又は包装紙等（以下、これらを総称して「鉢植え植物等」と称する。）に固定されるラベル、印刷物や、蛍光塗料による図柄、標識等の表示体であって、夜間において方角が認識可能な識別標識であることを特徴とする。
【０００８】
この場合において、前記敷物は、薄いシート体と、該シート体の中心部に設けられた方角表示用磁石とから成り、前記薄いシート体の表面には、方角表示用磁石を中心として、方角を示す四神獣の図柄が四方に配置されて固定されているものが好ましい。当該固定手段は特に限定するものでなく、例えば接着等の如何なる手段であっても良い。四神獣の図柄を用いる理由は、四体の神獣のそれぞれが固有の方角を有するからである。
【０００９】
「方角表示体」としては、四神獣の図柄の印刷物、ラベル又は蛍光塗料で描いた四神獣の図柄等が好ましい。
【００１０】
また、本考案に係る鉢植え植物等の方角表示体は、該鉢植え植物の植物自体、その容器又はその包装紙を、夜間において視覚、触覚又は嗅覚のいずれかで、方角が認識可能な植物、その容器又はその包装紙で構成して鉢植え植物等の方角表示体とし、該鉢植え植物等の方角表示体を、シート体と、該シート体の中心部に設けられた方角表示用磁石とから成り、前記シート体の表面に方角表示用磁石を中心として方角を示す四神獣の図柄を四方に配置した鉢植え植物の敷物の上であって、前記四神獣の方角に対応する位置に固定したものであることを特徴とするものである。
【考案の効果】
【００１１】
本考案の鉢植え植物等の方角表示体によれば、鉢植え植物の敷物、容器又は包装紙に、夜間において方角認識可能な表示体として、敷物上の凹凸構造や、発光塗料からなる図柄が付されているので、仮に地震、台風等による自然災害が夜間に発生して暗闇になっても、使用者は表示体に対する自分の視覚、嗅覚、触覚により、自分のおかれている方角を容易に認識できる。
【００１２】
また、本考案の鉢植え植物等の方角表示体によれば、上記方角表示体付きの鉢植え植物を、シート体と、該シート体の中心部に設けられた方角表示用磁石とから成り、前記シート体の表面に方角表示用磁石を中心として方角を示す四神獣の図柄を四方に配置した鉢植え植物の敷物の上であって、前記四神獣の方角に対応する位置に固定したものであるので、同様に仮に地震等の自然災害が夜間に発生して暗闇になっても、上記表自体により、自分のおかれている方角を容易に認識できる。特に、四神獣の図柄は個々の神獣が固有の方角を示すとともに、縁起物であるから、多くの人々の需要が高く、鉢植え植物自体の拡販にも繋がることになる。
【００１３】
そして、上記磁石は、常に正しい方角を示すものであるから、使用者に方角表示体が付された鉢植え植物等の固定位置を常に正しい方角に修正できる。なお、地震等による振動が発生して鉢植え植物本来の位置が移動したとしても、配置間隔を離しておけば方角の想定は十分可能である。
【図面の簡単な説明】
【００１４】
【図１】図１は、本考案に係る鉢植え植物等の方角表示体に使用する方角表示マット１０の一例であり、このうち図１（ａ）は平面図、図１（ｂ）はその側面図である。
【図２】図２は、図１の方角表示マット１０を用いた本考案に係る鉢植え植物等の方角表示体２０の一実施例に係る斜視図である。
【図３】図３は、本考案に係る鉢植え植物等の方角表示体２０の別実施例に係る斜視図である。
【図４】図４は、本考案に係る鉢植え植物等の方角表示体２０の更に別実施例に係る斜視図である。
【図５】図５は、本考案に係る鉢植え植物等の方角表示体２０の更に別実施例に係る斜視図である。
【考案を実施するための形態】
【００１５】
図１は、方角表示マット１０の一例であり、このうち図１（ａ）は平面図、図１（ｂ）はその側面図を示している。また、図２は、図１の方角表示マット１０を用いた本考案に係る鉢植え植物等の方角表示体２０の一実施例に係る斜視図である。
【００１６】
図１（ａ）に示すように、方角表示マット１０は、例えば外形が矩形状をした板、布地、プラスチック板などの薄いシート体１の中心部に、正しい方角を示す磁針付き永久磁石２が固定され、その周囲に中国の風水思想に登場する「青龍３ａ」、「白虎３ｂ」、「朱雀３ｃ」および「玄武３ｄ」から成る四神獣３の図柄をシート体１表面に描くか又はその図柄を貼り付けるなどして固定したものである。
【００１７】
また、図１（ｂ）の側面図に示すように、四神獣個々３ａ〜３ｄの図柄は、夜間でもその位置が使用者の触覚により認識できるように、シート体１表面からの高さＨ、ｈ（Ｈ＞ｈ）が変えられているものである。
【００１８】
ここで、これら四神獣３の図柄を用いる理由は、周知のように四神獣３の図柄は幸運を呼び込む縁起物であると同時に、四神獣３の構成獣である「青龍３ａ」、「白虎３ｂ」、「朱雀３ｃ」および「玄武３ｄ」の図柄が、それぞれ東、西、南及び北の方角を示すとともに、四神獣３の構成獣のそれぞれが青色、白色、赤色及び黒色という固有の色を有するからである。すなわち、本考案に係る鉢植え植物等の方角表示体２０は、東西南北の方角を示す図柄、色等から成る前述の方角表示マット１０を用いるものである。したがって、四神獣３の図柄は一例であり、方角に由来する形状、図柄、マーク、色、臭い等を有し、視覚、嗅覚、触覚等の人間の五感を刺激するものであれば、上記動物に限らず、植物その他のものであっても良い。
【００１９】
また、四神獣３のように四体から成る神獣でなくとも、キャラクターや、多くの人々が縁起物として愛好する七福神、大黒天と恵比寿天等のように、七体や二体から成る神様であってもよく、これらの神様を使用者が予め特定の方角と関連付ければ、利用することが可能である。
【００２０】
本考案においては、特定の方角と関連づけられた上記四神獣やキャラクター等の特定の図柄、形状、マーク、色等が付されたもの、あるいはこれらから発する臭い、光線等を総称して本考案の「表示体」と称するのであり、視認されるものだけに限られず、広い概念のものである。
【００２１】
また、磁針付き永久磁石２を固定するのは、後に詳述する鉢植え植物等の方角表示体２０を使用者が常に正確な四神獣３の位置に修正して固定するためである。
【００２２】
そして、四神獣３の構成獣の「青龍３ａ」、「白虎３ｂ」、「朱雀３ｃ」および「玄武３ｄ」図柄自体をマット１０上に蛍光塗料で描いたり、磁石２と同心円４の内部を例えば透明のアクリル板で構成すると共に、シート体１の裏面に周囲照度を検知し、暗くなったら自動的に点灯する公知の自動点灯装置（不図示）を固定することで、当該方角表示マット１０は、見る者に夜間でも正しい方角を知らしめる作用効果を奏する。
【００２３】
また、周知のように四神獣３の図柄は、風水思想に基づくパワースポットとして、或いは縁起物として多用されているため、当該風水思想を取り入れた方角表示マット１０は、使用者に愛好され、より一層、本考案の価値を高めるものである。
【実施例１】
【００２４】
図２は、図１の方角表示マット１０を用いた、本考案の一実施例に係る鉢植え植物等の方角表示体２０の斜視図である。
【００２５】
図に示すとおり、本実施例は、図１の方角表示マット１０の上に、青龍３ａ、白虎３ｂ、朱雀３ｃおよび玄武３ｄの図柄を有する方角表示体である方角表示ラベル５Ａ〜５Ｄのそれぞれを指した鉢植え植物等の方角表示体２０Ａ〜２０Ｄを、図１の方角表示マット１０上の該当方角位置に例えば、接着、ボルト締め等の適当な手段で固定したものである。
【００２６】
すなわち、図示の如く、本実施例の鉢植え植物等の方角表示体２０Ａ〜２０Ｄは、植木鉢植木鉢６ａ〜６ｄ内に植えられた鉢植え植物２０ａ〜２０ｄの土に、方角を表すラベル５Ａ〜５Ｄを差し込んで成るものである。ラベル５Ａ〜５Ｄは、固有の方角を表す四神獣３の図柄３ａ〜３ｄの下に、鉢内の土に差し込み可能な差し込み部分を設けたものである。
【００２７】
本実施例の鉢植え植物等の方角表示体２０Ａ〜２０Ｄは、具体的には方角表示マット１０上の青龍３ａの図柄近傍に青バラ２０ａを植えた鉢植え植物等の方角表示体２０Ａを、白虎３ｂの図柄近傍に表面が白いサボテン２０ｂを植えた鉢植え植物等の方角表示体２０Ｂを、朱雀３ｃの図柄近傍には表面が赤い観葉植物２０ｃを植えた鉢植え植物等の方角表示体２０Ｃを、玄武３ｄの図柄近傍には表面が黒い観葉植物２０ｄを植えた鉢植え植物等の方角表示体２０Ｄを配置して固定したものである。
【００２８】
かかる配置、固定により使用者は、各鉢植え植物等の方角表示体２０Ａ〜２０Ｄの表面形状、形態、個々の鉢植え植物が発する固有の臭い等が特定の方角を示す識別標識となり、夜間でも触覚及び嗅覚により正しい方角が認識可能となる。
【００２９】
ただし、本実施例では個々の方角は、個々の植木鉢６ａ〜６ｄ内に設けられている青龍３ａ、白虎３ｂ等の方角表示ラベル５Ａ〜５Ｄが教えてくれるので、配置する植物の種類としては特に制限がなく、要するに所有者の好みにあった植物で良い。
【００３０】
したがって、方角表示マット１０上に固定する鉢植え植物２０ａ〜２０ｄとしては、特に限定するものではなく、例えばサンスベリア、ゴムの木、金のなる木、朱竹、榊等の観葉植物や、ハイビスカス、梅、サボテン、胡蝶蘭等の鉢植え植物や、シクラメン、菊、バラ、ユリ等の切り花や、或いは四季の草花、ドライフラワー、プリザーブドフラワー、造花、盆栽等の種々のものを用いることができる。
【００３１】
また、本考案では、便宜上「鉢植え植物２０ａ〜２０ｄ」と称しているが、必ずしも植木鉢６ａ〜６ｄ等の鉢内部に入れた土の上に植物が植えられているものに限らず、容器については植木鉢以外の例えば、花びん、育苗ポット、水盤等の容器を用いてもよいし、容器内には土はあってもなくても良く、水盤のように水だけがあっても良い。したがって、本考案でいう「鉢植え植物」の用語は、必ず容器として植木鉢を要するものではなく、広い概念のものであって、上記種々の態様のものも含む概念のものである。
【００３２】
また、本考案の鉢植え植物等の方角表示体２０Ａ〜２０Ｄは、好ましくは、予め方角毎に需要者の好みの植物を決めておいてから固定したものであっても良い。この場合、前述したように四神獣３には固有の方角と色が決まっているから、朱雀３ｃの方角表示ラベル５Ｃを指した鉢植え植物には、前述したように例えばハイビスカス、赤バラ等の赤色系統の鉢植え植物２０ｃを、また、白虎３ｂの方角表示ラベル５Ｂを指した鉢植え植物２０ｂには、例えば白ユリ、白梅、白菊等の白色系統の鉢植え植物２０ｂを配置するなど、四神獣３の固有の色を有する植物に統一して固定するのが好ましい。用いる鉢や容器、或いは鉢内に入れる土の色についても同様である。
【００３３】
また、梅、バラ等の植物は固有の臭いを発するから、予め方角毎に固有の臭いを関連づけておいて、その植物を固定したものであっても良い。かかる場合は、暗闇であっても当該鉢植え植物が発する固有の臭いにより、正しい方角の認識が可能である。
【００３４】
このように、個々の鉢植え植物は、方角を表す四神獣３個々の表示体や、予め自分で方角を定めて固定した好みの植物の種類、容器の色や、植物が発する固有の臭いなどにより、暗闇の中でも使用者に正しい方角を容易に知らしめることができるものである。
【実施例２】
【００３５】
図３は、本考案に係る鉢植え植物等の方角表示体の別実施例に係る斜視図である。
【００３６】
本実施例の鉢植え植物等の方角表示体３０Ｂが図２の鉢植え植物等の方角表示体２０Ｂと異なる点は、図２で前述したラベル形式の方角表示ラベル５Ｂに代えて、白虎３ｂの図柄を鉢植え植物２０ｂの容器６ｂの側面を蛍光塗料、光触媒等で描くか、逆に鉢側面の全周に蛍光塗料を塗布して白虎３ｂの図柄が暗闇の中でも浮かび上がるようにしたものである。尚、図柄や、鉢等の容器を用いて光触媒を施すことにより、抗菌、防かび、消臭、汚れ防止等の効果も併せて得ることができる。また、容器６ｂの側面に白虎３ｂの図柄を表した蓄光シールを貼り付けたものであっても良い。他の神獣３ｂ〜３ｄの図柄についても同様である。
【００３７】
この実施態様の方角表示体を用いた鉢植え植物等の方角表示体３０Ｂによれば、夜間に地震が発生して暗闇になっても、当該白虎３ｂの図柄が蛍光を発し、かつ、白虎３ｂの図柄は西の方角を示すから、使用者は暗闇の中でも方角を誤って認識することはない。また、この実施例の鉢植え植物等の方角表示体３０Ｂは、所有者が持ち歩きできるサイズのものであるうえ、鉢側面には白虎３ｂの図柄が蛍光を発するか或いは鉢の側面全体が蛍光を発するものであるから、地震発生時の暗闇の中において所有者が正しい方角を確認したうえで懐中電灯の代用にも十分成り得るものである。
【００３８】
また、植木鉢６ｂに植えられている鉢植え植物２０ｂのサボテンは、その表面に「トゲ」を有するから、仮に暗闇の中に視力のない者がおかれても、サボテンを触った触覚により正しい方角を察知することができる。
【実施例３】
【００３９】
図４は、本考案に係る鉢植え植物等の方角表示体の更に別実施例に係る斜視図である。
【００４０】
本実施例の鉢植え植物等の方角表示体４０Ａが図２及び図３の実施形態の鉢植え植物等の方角表示体２０Ａ、３０Ｂと異なる点は、図２で前述したラベル形式の方角表示ラベル５Ａに代えて、鉢植え植物２０ｅの植物部分の包装紙７の中に四神獣３の個々の図柄３ａが印刷された表示板８を差し込むと共に、植木鉢６ａの側面に四神獣３個々の方角を示すラベル９を貼り付け、該当の方角部分を丸印９ａで囲んだものであり、その他の点については前述の実施例１及び実施例２の場合と同様である。
【００４１】
すなわち、青龍３ａの図柄を青い蛍光塗料で表示しても良いし、包装紙７は薄い青色をした透明ビニールシートを用いてもよい。また、鉢植え植物２０ｅは、東の方角と関連づけた種類の植物や、前述したように東の方角と関連づけた固有の臭いを発するものを用いても良い。
【００４２】
また、表示板８の上部位置には、当該鉢植え植物を他人にプレゼントした場合のメッセージ８ａ、８ｂ欄が設けてあり、前述したように四神獣３の図柄は、縁起物として喜ばれるから贈り物としても最適である。
【実施例４】
【００４３】
図５は、本考案に係る鉢植え植物等の方角表示体の更に別実施例に係る斜視図である。
【００４４】
本実施例の鉢植え植物等の方角表示体５０Ｄが図２乃至図４の実施形態の鉢植え植物等の方角表示体２０Ａ〜２０Ｄ、３０Ｂ、４０Ａと異なる点は、前述した方角表示ラベル５Ａ〜５Ｄや表示板８に代えて、鉢植え植物２０ｆを、台座７ａの上に矩形状の透明体７ｂを載せ、上から同様の透明体製の蓋７ｃを載せた透明陳列ケース７Ａの中に収納し、ケース７Ａの正面に玄武３ｄの図柄を貼り付けたもので、その他の点については前述の実施例の場合と同様である。このように、四神獣３の構成獣の図柄３ａ〜３ｄを用いた方角表示体は、種々の容器の種々の位置に付すことができる。
【００４５】
以上、種々の実施例について、本考案に係る鉢植え植物等の方角表示体の一例を説明したが、本考案は、上記実施例のものに限定されず、実用新案登録請求の範囲及び各実施例で示した技術的思想の範囲内で種々の変形例に変更することが可能であり、それらの変形例も本考案の範囲に含まれることは勿論である。
【符号の説明】
【００４６】
１    シート体
２    磁針付き永久磁石
３    四神獣の図柄
４    中心円
５Ａ〜５Ｄ    方角表示ラベル（方角表示体）
６ａ〜６ｄ    植木鉢
７    包装紙
８    表示板
９    方角を示すラベル（方角表示体）
１０    方角表示マット
２０、２０Ａ〜２０Ｄ、３０Ｂ、４０Ａ、５０Ｄ
鉢植え植物等の方角表示体（本考案）
【図１】
0003190193.tif 000003
【図２】
0003190193.tif 000004
【図３】
0003190193.tif 000005
【図４】
0003190193.tif 000006
【図５】
0003190193.tif 000007
【手続補正書】
【提出日】平成26年2月5日(2014.2.5)
【手続補正１】
【補正対象書類名】実用新案登録請求の範囲
【補正対象項目名】全文
【補正方法】変更
【補正の内容】
【実用新案登録請求の範囲】
【請求項１】
鉢植え植物の敷物と、鉢植え植物の容器又は包装紙に固定される、ラベル、印刷物、蛍光塗料による図柄あるいは標識が記載された表示体と、からなり、
これら表示体を予め、方角と関連付けておくことにより、夜間において方角が認識可能な識別標識としたことを特徴とする鉢植え植物の方角表示体。
【請求項２】
請求項１記載の鉢植え植物の方角表示体において、
前記敷物は、薄いシート体と、該シート体の中心部に設けられた方角表示用磁石とから
成り、
前記薄いシート体は、その表面に方角表示用磁石を中心として、方角を示す四神獣の図
柄が四方に配置されている方角表示用のマットであることを特徴とする鉢植え植物の方角表示体。
【請求項３】
請求項１又は請求項２記載の鉢植え植物の方角表示体において、
前記識別標識は、四神獣の各構成獣の図柄を蛍光塗料で描いたものであることを特徴と
する鉢植え植物の方角表示体。
【請求項４】
鉢植え植物の植物自体、その容器又はその包装紙を、夜間において視覚、触覚又は嗅覚
のいずれかで、方角が認識可能な植物、その容器又はその包装紙で構成して鉢植え植物の方角表示体とし、
該鉢植え植物の方角表示体を、シート体と、該シート体の中心部に設けられた方角表示用磁石とから成り、前記シート体の表面に方角表示用磁石を中心として方角を示す四神獣の図柄を四方に配置した鉢植え植物の敷物の上であって、前記四神獣の方角に対応する位置に固定したものであることを特徴とする鉢植え植物の方角表示体。
【手続補正２】
【補正対象書類名】明細書
【補正対象項目名】０００５
【補正方法】変更
【補正の内容】
【０００５】
【特許文献１】特開２００５−２０４６７２号公報（請求項１、図７）
【特許文献２】特開２００８−２７１９０４号公報（請求項１、図１）
【手続補正３】
【補正対象書類名】明細書
【補正対象項目名】００２６
【補正方法】変更
【補正の内容】
【００２６】
すなわち、図示の如く、本実施例の鉢植え植物等の方角表示体２０Ａ〜２０Ｄは、植木
鉢６ａ〜６ｄ内に植えられた鉢植え植物２０ａ〜２０ｄの土に、方角を表すラベル５Ａ〜５Ｄを差し込んで成るものである。ラベル５Ａ〜５Ｄは、固有の方角を表す四神獣３の図柄３ａ〜３ｄの下に、鉢内の土に差し込み可能な差し込み部分を設けたものである。